(57)【要約】【課題】一定の強度があり、カールしにくく、しかも、事務作業も行いやすい隠蔽ラベル部材及び隠蔽ラベルを提供する。【解決手段】隠蔽ラベル１０は、はがき本体１１と、隠蔽ラベル部材１５と、擬似接着層１９などとを備え、はがき本体１１は、折りミシン目ｍｃを挟んで配置された第１及び第２の領域１１−１，１１−２を有するものであり、第２の領域１１−２には、個人情報を記入するための記入面１２と、印鑑を押すための捺印欄１３と、使用時の注意事項などを示す誘導文１４とを備え、隠蔽ラベル部材１５は、第１の領域１１−１上に配置され、上質紙１６，粘着剤１７及び剥離紙１８が順に積層されたものであり、上質紙１６は、記入面１２及び捺印欄１３と対向する領域が、透かしインキによって、透過性が高められており、擬似接着層１９は、第１の領域１１−１と上質紙１６とを、略全面で剥離可能に貼り合わせるものである。【選択図】図１
2006292853.tif 000002
【特許請求の範囲】
【請求項１】
不透明性基材，粘着剤層及び剥離基材が順に積層された隠蔽ラベル部材であって、
前記不透明性基材及び／又は前記剥離基材は、少なくとも一部の領域の透過性が高められていること、
を特徴とする隠蔽ラベル部材。
【請求項２】
請求項１に記載の隠蔽ラベル部材において、
前記不透明性基材及び／又は前記剥離基材は、透かしインキによって、透過性が高められていること、
を特徴とする隠蔽ラベル部材。
【請求項３】
請求項２に記載の隠蔽ラベル部材において、
前記透かしインキは、紫外線硬化型樹脂、電子線硬化型樹脂、赤外線硬化型樹脂、熱硬化型樹脂、熱可塑性樹脂のうち、少なくとも１種を含んでいること、
を特徴とする隠蔽ラベル部材。
【請求項４】
請求項１から請求項３までのいずれか１項に記載の隠蔽ラベル部材において、
前記粘着剤層は、透明性粘着剤層であること、
を特徴とする隠蔽ラベル部材。
【請求項５】
請求項１から請求項３までのいずれか１項に記載の隠蔽ラベル部材において、
前記粘着剤層は、全離解型粘着剤層であること、
を特徴とする隠蔽ラベル部材。
【請求項６】
請求項１から請求項５までのいずれか１項に記載の隠蔽ラベル部材において、
前記不透明性基材，前記粘着剤層及び前記剥離基材は、タック基材，粘着剤層及び剥離基材が順に積層されたタックシートであること、
を特徴とする隠蔽ラベル部材。
【請求項７】
支持基材と、
請求項１から請求項６までのいずれか１項に記載の隠蔽ラベル部材と、
前記支持基材と前記隠蔽ラベル部材の不透明性基材とを剥離可能に貼り合わせる擬似接着層と、
を備える隠蔽ラベル。
【請求項８】
請求項７に記載の隠蔽ラベルにおいて、
前記支持基材は、秘匿情報部及び／又は情報表示部を備え、
前記不透明性基材及び／又は前記剥離基材は、前記秘匿情報部及び／又は前記情報表示部に対応する領域の透過性が高められていること、
を特徴とする隠蔽ラベル。
【発明の詳細な説明】
【技術分野】
【０００１】
本発明は、個人情報などを保護するのに好適な隠蔽ラベル部材及び隠蔽ラベルに関するものである。
【背景技術】
【０００２】
昨今のエコブーム（環境配慮志向）に乗って、透明紙（半透明紙を含む。）／透明粘着剤／剥離紙からなるタック紙を利用した隠蔽ラベルの引合いが増加している（例えば、特許文献１）。
これまでも、多層フィルムを活用した擬似接着ラベルはあったが、やはりフィルムを利用していることから高価であり、また、環境面でリサイクル適性が低い点から避けられつつある。
【０００３】
さて、この透明紙を有するタック紙であるが、透明紙にグラシン紙と言われる高叩解紙を使用していることと、透明性を高めるべく薄手用紙を使用していることもあって、様々な課題がある。
【０００４】
一つ目は強度である。薄い用紙であるため、破れやすく、用途によっては、強度面から従来のフィルムでないと対応できないものもある。
二つ目は材質である。前述したとおり、高叩解でさらに加熱・加圧した高密度な用紙のため、繊維の結合が密であり、それゆえ水分を吸収すると、カールを生じやすい。
【０００５】
また、これらとは別の課題もある。
図４は、従来の隠蔽ラベルを示す図である。
従来の隠蔽ラベル１０Ａは、図４（Ａ）に示すように、上述した透明紙１６Ａを有するタック紙１５Ａを、はがき本体１１の対向面に剥離可能に貼り合わせたものである。
この場合、図４（Ｂ）に示すように、使用時の注意事項などを示す誘導文１４を、はがき本体１１に設けることがあるが、申込者にとっては必要な誘導文１４であっても、受取人（多くの場合は法人）にとっては、その誘導文１４が邪魔になってしまうことがある。
この理由は、記入面１２や捺印欄１３を隠蔽している基材が透明紙１６Ａであるがゆえに、開封時には、記入面１２などと同様に、誘導文１４も判読できてしまい、事務作業時には目障りとなる可能性があるからである。
とは言え、この誘導文１４を読ませないためだけに、透明紙１６Ａに隠蔽インキを印刷するのも、コスト的には無駄であり、実用化されている例はない。
【特許文献１】特開２００４−１０２１８８号公報
【発明の開示】
【発明が解決しようとする課題】
【０００６】
本発明の課題は、一定の強度があり、カールしにくく、しかも、事務作業も行いやすい隠蔽ラベル部材及び隠蔽ラベルを提供することである。
【課題を解決するための手段】
【０００７】
前記課題を解決するために、請求項１の発明は、不透明性基材，粘着剤層及び剥離基材が順に積層された隠蔽ラベル部材であって、前記不透明性基材及び／又は前記剥離基材は、少なくとも一部の領域の透過性が高められていること、を特徴とする隠蔽ラベル部材である。
請求項２の発明は、請求項１に記載の隠蔽ラベル部材において、前記不透明性基材及び／又は前記剥離基材は、透かしインキによって、透過性が高められていること、を特徴とする隠蔽ラベル部材である。
請求項３の発明は、請求項２に記載の隠蔽ラベル部材において、前記透かしインキは、紫外線硬化型樹脂、電子線硬化型樹脂、赤外線硬化型樹脂、熱硬化型樹脂、熱可塑性樹脂のうち、少なくとも１種を含んでいること、を特徴とする隠蔽ラベル部材である。
請求項４の発明は、請求項１から請求項３までのいずれか１項に記載の隠蔽ラベル部材において、前記粘着剤層は、透明性粘着剤層であること、を特徴とする隠蔽ラベル部材である。
請求項５の発明は、請求項１から請求項３までのいずれか１項に記載の隠蔽ラベル部材において、前記粘着剤層は、全離解型粘着剤層であること、を特徴とする隠蔽ラベル部材である。
請求項６の発明は、請求項１から請求項５までのいずれか１項に記載の隠蔽ラベル部材において、前記不透明性基材，前記粘着剤層及び前記剥離基材は、タック基材，粘着剤層及び剥離基材が順に積層されたタックシートであること、を特徴とする隠蔽ラベル部材である。
請求項７の発明は、支持基材と、請求項１から請求項６までのいずれか１項に記載の隠蔽ラベル部材と、前記支持基材と前記隠蔽ラベル部材の不透明性基材とを剥離可能に貼り合わせる擬似接着層と、を備える隠蔽ラベルである。
請求項８の発明は、請求項７に記載の隠蔽ラベルにおいて、前記支持基材は、秘匿情報部及び／又は情報表示部を備え、前記不透明性基材及び／又は前記剥離基材は、前記秘匿情報部及び／又は前記情報表示部に対応する領域の透過性が高められていること、を特徴とする隠蔽ラベルである。
【発明の効果】
【０００８】
本発明によれば、不透明性基材や剥離基材の透過性を高めることによって、各基材を自由に選択することができ、一定の強度を持たせたり、カールしにくい隠蔽ラベル部材とすることができる。
一方、支持基材と隠蔽ラベル部材とを剥離可能に貼り合わせることによって、隠蔽ラベル部材のよさを備える隠蔽ラベルとすることができる。
また、秘匿情報部に対応する領域の透過性を高めることによって、隠蔽後の開封時には、秘匿情報部以外の部分を判読不能にすることができ、事務作業を行いやすい隠蔽ラベルとすることができる。
さらに、情報表示部に対応する領域の透過性を高めることによって、断裁などを行わなくても情報表示部が判読可能となり、製造しやすい隠蔽ラベルとすることができる。
【発明を実施するための最良の形態】
【０００９】
本発明は、一定の強度があり、カールしにくく、しかも、事務作業も行いやすい隠蔽ラベル部材及び隠蔽ラベルを提供するという目的を、透かしインキを用いて必要な部分を透明化することにより実現する。
【実施例１】
【００１０】
以下、図面等を参照して、本発明の実施例について、さらに詳しく説明する。
図１は、本発明による隠蔽ラベルの実施例１を示す図であって、図１（Ａ）は、平面図であり、図１（Ｂ）は、Ｂ−Ｂ断面図である。なお、図１（Ａ）では、説明の便宜上、剥離紙と粘着剤とは、省略してある。
実施例１の隠蔽ラベル１０は、はがき本体（支持基材）１１と、隠蔽ラベル部材１５と、擬似接着層１９などとを備える。
【００１１】
はがき本体１１は、折りミシン目ｍｃを挟んで配置された第１及び第２の領域１１−１，１１−２を有するものであり、第２の領域１１−２には、個人情報を記入するための記入面（秘匿情報部）１２と、印鑑を押すための捺印欄（秘匿情報部）１３と、使用時の注意事項などを示す誘導文１４とを備える。
【００１２】
隠蔽ラベル部材１５は、第１の領域１１−１上に配置され、上質紙（不透明性基材）１６，粘着剤（粘着剤層）１７及び剥離紙（剥離基材）１８が順に積層されたものである。なお、隠蔽ラベル部材１５は、タック基材，粘着剤及び剥離紙が順に積層されたタック紙（タックシート）を用いると、製造しやすい。
上質紙１６は、記入面１２及び捺印欄１３と対向する領域（図中、Ａ部分）が、透かしインキによって、透過性が高められている。
透かしインキは、紫外線硬化型樹脂、電子線硬化型樹脂、赤外線硬化型樹脂、熱硬化型樹脂、熱可塑性樹脂のうち、少なくとも１種を含んだものである。
【００１３】
擬似接着層１９は、第１の領域１１−１と上質紙１６とを、略全面で剥離可能に貼り合わせるものであり、例えば、接着剤層／剥離層などで構成されている。
【００１４】
次に、実施例１による隠蔽ラベル１０の使用方法について説明する。
図２は、隠蔽ラベル１０の使用方法を示す図である。
まず、図２（Ａ）に示すように、誘導文１４を読みながら、記入面１２に必要事項を記入し、捺印欄１３に捺印する。
ついで、図２（Ｂ）に示すように、剥離紙１８を剥がして、粘着剤１７を表出させる。
さらに、図２（Ｃ）に示すように、折りミシン目ｍｃでこの隠蔽ラベル１０を２つ折りし、表出させた粘着剤１７を第２の領域１１−２に粘着させる。
そして、この状態で、ポストに投函する。
受取側では、図２（Ｄ）に示すように、擬似接着層１９部分で開封し、上質紙１６の透過性が高められている領域を透して、記入面１２や捺印欄１３を確認する。
【００１５】
このように、実施例１によれば、透かしインキを用いて上質紙１６の透過性を高めることによって、従来の透明紙と同等の機能を果たしつつも、強度面や材質面に課題のある透明紙を使用する必要がないので、上質紙１６を自由に選択して、一定の強度を持たせたり、カールしにくい隠蔽ラベル部材１５とすることができる。
【００１６】
また、記入面１２や捺印欄１３に対向する領域の透過性を高めることによって、隠蔽後の開封時には、事務作業に必要な記入面１２や捺印欄１３だけを判読可能にし、事務作業に不要な誘導文１４を判読不能にすることができ、事務作業を行いやすい隠蔽ラベル１０とすることができる。
【００１７】
一方、連量が５５ｋｇ／四六の上質紙に、紫外線硬化型樹脂を主成分とする２０ｇ／ｍ2の透かしインキを塗布して、本実施例の隠蔽ラベル部材１５を実際に製造してみたところ、従来の透明紙と同等以上の透明性が確認でき、水分を吸収させてもカールすることはなかった。
【実施例２】
【００１８】
図３は、本発明による隠蔽ラベルの実施例２を示す図である。
なお、前述した実施例１と同様な機能を果たす部分には、同一の符号又は末尾に統一した符号を付して、重複する説明や図面を適宜省略する。
実施例２の隠蔽ラベル１０−２は、往復はがき仕様のものである。
まず、往復はがきの基本を説明すると、往復はがきの場合には、図３（Ａ）に示すように、はがき本体１１の所定位置に情報表示部２０としての『郵便はがき（往信）』を表示しなければならない。
したがって、情報表示部２０が見えるように、タック紙１５Ａを貫通する孔を開ければよいが、タック紙１５Ａの粘着剤１７部分に孔を開けようとすると、粘着剤１７がはがき本体１１の一部に付着するなどして、印字時にトラブルを生じてしまう恐れがあるため、従来は、その部分をストライプ状に抜いていた（断裁していた）。
また、従来の透明紙１６Ａを有するタック紙１５Ａであったとしても、剥離紙１８は不透明なので、やはり上述した方法と同様に、情報表示部２０の上層部分は、ストライプ状に抜かざるを得なかった。
【００１９】
ストライプ状に抜くということは、両サイドのパンチ孔（マージナルパンチ）が利用できないので、はがき本体１１とタック紙１５Ａとの絵柄同調を行うことができず、宛名を印字する際に、絵柄印刷に相当するものを同時に印字するしかなく、多くの場合は、業務用プリンタで絵柄印刷を行うことになり、モノクロ（単彩）の絵柄になってしまっていた。
【００２０】
そこで、図３（Ｂ）に示すように、情報表示部２０の上層部分における、上質紙１６及び剥離紙１８の透過性を高め、その部分を透明化した隠蔽ラベル１０−２とすることによって、ストライプ状に抜かなくても、情報表示部２０が見えるようになる。
これにより、パンチ孔を利用して絵柄同調を行うことができ、宛名以外は、カラフル（多彩）な絵柄印刷が可能となる。
【００２１】
（変形例）
以上説明した実施例に限定されることなく、種々の変形や変更が可能であって、それらも本発明の均等の範囲内である。
（１）上質紙１６や剥離紙１８は、透かしインキによって、透過性を高める例で説明したが、これに限定されず、例えば、加圧によって、透過性を高めてもよい。
（２）粘着剤層は、透明性粘着剤層（例えば、透明粘着剤）にしてもよい。このようにすれば、記入面１２や捺印欄１３、情報表示部２０がより鮮明に判読できる。
（３）粘着剤層は、全離解型粘着剤層（例えば、全離解型粘着剤）にしてもよい。一般に、粘着剤は、リサイクルするときに塊となってしまい、これが用紙を離解（リサイクルするために用紙繊維を解きほぐすこと）する際に妨げとなってしまうことがある。特に、粘着剤が混入してしまうと、用紙の表面がべたついたりするため、一般の上質紙や印刷用紙には、使用できなくなってしまう。そこで、離解の際に、リサイクルできるレベルまで解きほぐすことができ、塊にならない全離解型粘着剤を用いることで、リサイクル適性に優れる隠蔽ラベル部材を提供することができる。
【図面の簡単な説明】
【００２２】
【図１】本発明による隠蔽ラベルの実施例１を示す図である。
【図２】隠蔽ラベル１０の使用方法を示す図である。
【図３】本発明による隠蔽ラベルの実施例２を示す図である。
【図４】従来の隠蔽ラベルを示す図である。
【符号の説明】
【００２３】
１０、１０−２  隠蔽ラベル
１１  はがき本体（支持基材）
１１−１  第１の領域
１１−２  第２の領域
１２  記入面（秘匿情報部）
１３  捺印欄（秘匿情報部）
１４  誘導文
１５  隠蔽ラベル部材
１６  上質紙（不透明性基材）
１７  粘着剤（粘着剤層）
１８  剥離紙（剥離基材）
１９  擬似接着層
２０  情報表示部
ｍｃ  折りミシン目
【図１】
2006292853.tif 000003
【図２】
2006292853.tif 000004
【図３】
2006292853.tif 000005
【図４】
2006292853.tif 000006